(57)【特許請求の範囲】
【請求項１】
第１のマウント機構により機構的かつ電気的にカメラ本体に装着可能であるとともに第２のマウント機構により機構的かつ電気的に交換レンズを装着可能であるアダプタ装置であって、
使用者へ機能の対応状況を通知するための通知光を発する発光部と、アダプタ制御部と、アダプタ記憶部とを備え、
前記アダプタ制御部は、前記カメラ本体から電源供給を受けることにより起動し、起動後において第１のコマンドと第２のコマンドとを前記交換レンズのレンズ制御部へ送信し、前記第１のコマンドに対して前記交換レンズのレンズ制御部が応答する場合は前記発光部を所定時間発光させる発光制御を行い、
前記第１のコマンドは、前記交換レンズに対してアダプタ装置の前記アダプタ記憶部に前記交換レンズのレンズデータを格納することが可能であるか否かを問い合わせるためのコマンドであることを特徴とするアダプタ装置。
【請求項２】
前記第２のコマンドは、前記交換レンズに対してレンズＩＤを問い合わせるためのコマンドであることを特徴とする請求項１のアダプタ装置。
【請求項３】
前記アダプタ制御部は、前記第１のコマンドに対して前記交換レンズのレンズ制御部が応答する場合において、さらに前記第２のコマンドに対して前記交換レンズのレンズ制御部がレンズ記憶部に格納されたレンズＩＤを応答する場合には、
前記交換レンズのレンズ制御部が応答したレンズＩＤに基づいてアダプタ装置の前記アダプタ記憶部を参照し、前記アダプタ記憶部に同一のレンズＩＤを有するレンズデータが存在する場合には前記発光部に対して第１の発光制御を行い、それ以外の場合には前記発光部に対して第２の発光制御を行うことを特徴とする請求項１及び請求項２のアダプタ装置。
【請求項４】
第１のマウント機構により機構的かつ電気的にカメラ本体に装着可能であるとともに第２のマウント機構により機構的かつ電気的に交換レンズを装着可能であるアダプタ装置の制御方法であって、
アダプタ装置は、使用者へ機能の対応状況を通知するための通知光を発する発光部と、アダプタ制御部と、アダプタ記憶部とを備え、
前記カメラ本体から電源供給を受けることにより前記アダプタ制御部を起動し、前記アダプタ制御部の起動後において第１のコマンドと第２のコマンドとを前記交換レンズのレンズ制御部へ送信し、前記第１のコマンドに対して前記交換レンズのレンズ制御部が応答する場合において、さらに前記第２のコマンドに対して前記交換レンズのレンズ制御部がレンズ記憶部に格納されたレンズＩＤを応答する場合には、前記交換レンズのレンズ制御部が応答したレンズＩＤに基づいてアダプタ装置の前記アダプタ記憶部を参照し、前記アダプタ記憶部に同一のレンズＩＤを有するレンズデータが存在する場合には前記発光部に対して第１の発光制御を行い、それ以外の場合には前記発光部に対して第２の発光制御を行うことを特徴とし、
前記第１のコマンドは、前記交換レンズに対してアダプタ装置の前記アダプタ記憶部に前記交換レンズのレンズデータを格納することが可能であるか否かを問い合わせるためのコマンドであり、前記第２のコマンドは、前記交換レンズに対してレンズＩＤを問い合わせるためのコマンドであるアダプタ装置の制御方法。
【発明の詳細な説明】
【技術分野】
【０００１】
本発明は、一方のマウント機構によりカメラ本体に装着可能であるとともに、他方のマウント機構により交換レンズを装着可能であるアダプタ装置及びアダプタ装置の制御方法の技術に関するものである。
【背景技術】
【０００２】
従来、マウント機構によりカメラ本体に脱着可能な交換レンズや中間アダプタなどのカメラアクセサリにおいて、被写体光をカメラ本体の撮像面へ結像するための撮影レンズに対応する固有情報をカメラ本体と通信可能なカメラアクセサリの技術が開示されている。
【０００３】
カメラ本体とカメラアクセサリとの間で通信される固有情報には、予め任意に設定された撮影レンズの識別データ（レンズＩＤ、シリアル番号など）や撮影レンズの焦点距離や絞り値などの光学データや撮影レンズを駆動制御するための駆動データなどの他に撮影レンズの光学特性に関するデータが含まれる。
【０００４】
特許文献１（特開２００５−２７８０７６号公報）には、従来のデジタルカメラの構成をカメラ本体、マウントアダプタ及びレンズユニットの３個の機械的要素に分割して構成することでカメラ本体に対してカメラシステムが同一でないレンズユニットを交換可能としたデジタルカメラの技術が開示されている。
【０００５】
また、特許文献１には、アダプタ装置としてのマウントアダプタにレンズデータを格納することができるメモリを搭載し、さらにこのメモリを更新可能とすることで各社のレンズユニットや将来開発されるレンズユニットに対応できるデジタルカメラの技術が開示されている。
【先行技術文献】
【特許文献】
【０００６】
【特許文献１】特開２００５−２７８０７６号公報
【発明の概要】
【発明が解決しようとする課題】
【０００７】
しかしながら、特許文献１に記載されたようなあらゆるレンズユニットを各社のカメラシステムに柔軟に対応できるような構成においては、以下のような問題がある。
【０００８】
交換レンズや中間アクセサリなどのカメラアクセサリはカメラ本体に対してマウント機構を介して脱着可能とされているのが一般的である。使用者はカメラ本体のマウント機構の仕様に合致するカメラアクセサリを選択して、撮影シーンに合わせてこれらのカメラアクセサリをカメラ本体に装着する。
【０００９】
この場合、使用者はマウント機構の仕様が合致するカメラ本体とカメラアクセサリとが装着可能であることをもって、カメラ本体とカメラアクセサリとからなるカメラシステム全体がその機能を完全に発揮することが可能であると誤認するおそれがある。
【００１０】
特許文献１にも開示されているように、カメラ本体やカメラアクセサリ、またはこれらからなるカメラシステムは機能開発が進められており、これら全てが新機能に対応していない場合には最新の機能を完全に発揮することができない場合がある。特に、特許文献１に開示されているデジタルカメラにおいては、マウントアダプタに搭載されたメモリにおいて最新の機能を発揮するためのレンズデータが更新されていなければ機械的にカメラ本体とマウントアダプタとレンズユニットとを一体的に構成することが可能であったとしても、そのデジタルカメラ全体として最新の機能を発揮することはできない。
【００１１】
ところが、使用者はまず機構的にカメラ本体に対して装着可能なカメラアクセサリを選択しようとするため、詳細な機能の対応状況を誤認するおそれがある。また、カメラ本体とカメラアクセサリとには多くの組み合わせが想定され、これらのファームウェアが後に変更されることもあり、使用者がカメラ本体とカメラアクセサリとの組み合わせによって詳細な機能の対応状況が変化するということを認識していたとしてもその対応状況の詳細な内容をすぐに理解することは容易ではない。
【００１２】
さらに、カメラ本体に対してはマウント機構の仕様が合致していれば他社製カメラアクセサリも装着可能になるが、カメラ本体のメーカーはカメラ本体と他社製カメラアクセサリとの組み合わせにおける詳細な機能の対応状況を把握しておらず、使用者もこれを容易に把握できない場合がある。
【００１３】
そこで、カメラ本体、カメラアクセサリ及びカメラシステムの使用者が詳細な機能の対応状況を容易に認識可能とするための通知機能が求められる。
【００１４】
カメラアクセサリに通知機能を実装するため、既存の様々なデバイスを利用することが考えられる。より確実な通知を可能とするための具体例の一つとして液晶デバイスによる文字表示が考えられるが、詳細な機能の対応状況を通知するためだけに液晶デバイスをカメラアクセサリに搭載することは高コストであるし、カメラアクセサリは撮影レンズのレンズ光学系の形状に合わせて筒状形態であるため表面の曲面に液晶デバイスを配置することは困難である。
【００１５】
そこで、ＬＥＤなどの発光デバイスを利用して通知機能を実装することがより効率的である。例えば、ＬＥＤにおいては、ＩＣを内蔵しているタイプでは光の３原色のバランスにより様々な発光色を発光することが可能であり、これにより複数の対応状況を視覚的に使用者に通知することができ、さらに小型であるためカメラアクセサリに搭載する際の利便性が高い。
【００１６】
本発明の目的は、アダプタ装置に発光デバイスを搭載することにより使用者に対して詳細な機能の対応状況を通知するための通知機能を実装し、さらに使用者に対して視覚的に様々な対応状況を通知することができるアダプタ装置及びアダプタ装置の制御方法を提供することにある。
【課題を解決するための手段】
【００１７】
上記の課題を解決するために、本発明に係るアダプタ装置は、第１のマウント機構により機構的かつ電気的にカメラ本体に装着可能であるとともに第２のマウント機構により機構的かつ電気的に交換レンズを装着可能であるアダプタ装置であって、使用者へ機能の対応状況を通知するための通知光を発する発光部と、アダプタ制御部と、アダプタ記憶部とを備え、前記アダプタ制御部は、前記カメラ本体から電源供給を受けることにより起動し、起動後において第１のコマンドと第２のコマンドとを前記交換レンズのレンズ制御部へ送信し、前記第１のコマンドに対して前記交換レンズのレンズ制御部が応答する場合は前記発光部を所定時間発光させる発光制御を行い、前記第１のコマンドは、前記交換レンズに対してアダプタ装置の前記アダプタ記憶部に前記交換レンズのレンズデータを格納することが可能であるか否かを問い合わせるためのコマンドであることを特徴とする。
【００１８】
また、本発明に係るアダプタ装置は、さらに前記第２のコマンドは、前記交換レンズに対してレンズＩＤを問い合わせるためのコマンドであることを特徴とする。
【００１９】
また、本発明に係るアダプタ装置は、さらに前記アダプタ制御部は、前記第１のコマンドに対して前記交換レンズのレンズ制御部が応答する場合において、さらに前記第２のコマンドに対して前記交換レンズのレンズ制御部がレンズ記憶部に格納されたレンズＩＤを応答する場合には、前記交換レンズのレンズ制御部が応答したレンズＩＤに基づいてアダプタ装置の前記アダプタ記憶部を参照し、前記アダプタ記憶部に同一のレンズＩＤを有するレンズデータが存在する場合には前記発光部に対して第１の発光制御を行い、それ以外の場合には前記発光部に対して第２の発光制御を行うことを特徴とする。
【００２０】
本発明に係るアダプタ装置の制御方法は、第１のマウント機構により機構的かつ電気的にカメラ本体に装着可能であるとともに第２のマウント機構により機構的かつ電気的に交換レンズを装着可能であるアダプタ装置の制御方法であって、アダプタ装置は、使用者へ機能の対応状況を通知するための通知光を発する発光部と、アダプタ制御部と、アダプタ記憶部とを備え、前記カメラ本体から電源供給を受けることにより前記アダプタ制御部を起動し、前記アダプタ制御部の起動後において第１のコマンドと第２のコマンドとを前記交換レンズのレンズ制御部へ送信し、前記第１のコマンドに対して前記交換レンズのレンズ制御部が応答する場合において、さらに前記第２のコマンドに対して前記交換レンズのレンズ制御部がレンズ記憶部に格納されたレンズＩＤを応答する場合には、前記交換レンズのレンズ制御部が応答したレンズＩＤに基づいてアダプタ装置の前記アダプタ記憶部を参照し、前記アダプタ記憶部に同一のレンズＩＤを有するレンズデータが存在する場合には前記発光部に対して第１の発光制御を行い、それ以外の場合には前記発光部に対して第２の発光制御を行うことを特徴とし、前記第１のコマンドは、前記交換レンズに対してアダプタ装置の前記アダプタ記憶部に前記交換レンズのレンズデータを格納することが可能であるか否かを問い合わせるためのコマンドであり、前記第２のコマンドは、前記交換レンズに対してレンズＩＤを問い合わせるためのコマンドであることとする。
【発明の効果】
【００２１】
本発明によれば、アダプタ装置に発光デバイスを搭載することにより使用者に対して詳細な機能の対応状況を通知するための通知機能を実装し、さらに使用者に対して視覚的に様々な対応状況を通知することができるアダプタ装置及びアダプタ装置の制御方法の実現が可能となる。
【図面の簡単な説明】
【００２２】
【図１】カメラシステムの構成を示すブロック図
【図２】カメラアクセサリの発光制御を説明するフロー図
【図３】アダプタＣＰＵの発光制御を説明するフロー図
【図４】マウント変換アダプタの斜視図
【発明を実施するための形態】
【００２３】
以下に本発明のカメラアクセサリの一実施例として、カメラシステムにおいてカメラ本体と交換レンズとの間に介装される中間アクセサリであるマウント変換アダプタについて詳細に説明する。なお、以下の実施例の説明は本発明のアダプタ装置の一例を説明したものであり、本発明はその要旨を逸脱しない範囲において本実施例に限定されるものではない。
【００２４】
本実施例のカメラ本体、交換レンズ及びマウント変換アダプタからなるカメラシステムの構成について説明する。
【００２５】
図１は、本実施例のカメラシステムの構成を示すブロック図である。図１において、１０はカメラ本体、２０は交換レンズ、３０はマウント変換アダプタを示す。カメラ本体１０、交換レンズ２０及びマウント変換アダプタ３０は一体となってカメラシステムを構成している。
【００２６】
カメラ本体１０とマウント変換アダプタ３０との間及び交換レンズとマウント変換アダプタ３０との間ではそれぞれ仕様が合致するマウント機構により機構的に接続している。マウント変換アダプタの目的の機能により、上記２つの間のマウント機構の仕様が共通する場合も異なる場合もある。カメラ本体１０とマウント変換アダプタ３０との間のように２つの部分の間においてマウント機構の仕様が合致していれば双方は装着可能であり、マウント変換アダプタ３０においてカメラ本体１０側と交換レンズ２０側とでマウント機構の仕様が異なる場合もカメラシステムが構成できるのであれば機構的に問題はない。
【００２７】
図１に示すカメラ本体１０において、１０１はカメラＣＰＵ、１０２は撮像部、１０３は画像処理部、１０４は電源部、１０５はカメラマウント部を示す。
【００２８】
カメラＣＰＵ１０１は、画像データの取得のための制御やカメラ本体１０内の各デバイスの制御を行うとともに、カメラ本体１０に装着された交換レンズ２０やマウント変換アダプタ３０との通信制御や駆動制御を行う。
【００２９】
撮像部１０２には、撮影レンズにより結像した被写体光を光電変換して画像データを取得するためのイメージセンサーや取得した画像データをデジタル化するＡ−Ｄコンバータなどが含まれ、デジタル化された画像データを取得する役割を担っている。
【００３０】
画像処理部１０３は、撮像部１０２で取得した画像データの階調処理やノイズ除去処理や光学収差補正処理などを行う。
【００３１】
電源部１０４は、カメラ本体１０内の各デバイスへの電源供給を行い、さらにカメラマウント部１０５を介して装着された交換レンズ２０及びマウント変換アダプタ３０の各デバイスへ電源供給を行う。
【００３２】
カメラマウント部１０５は、マウント変換アダプタ３０と仕様が合致するマウント機構を有しており、マウント変換アダプタ３０を機構的にカメラ本体１０へ装着可能とするとともに、マウント機構に備えられた電気的接点によりマウント変換アダプタ３０と通信可能となっている。
【００３３】
図１に示す交換レンズ２０において、２０１はレンズＣＰＵ、２０２はレンズ光学系、２０３はレンズＲＯＭ、２０４はレンズマウント部を示す。
【００３４】
レンズＣＰＵ２０１は、交換レンズ２０内の各デバイスの制御を行うとともに、交換レンズ２０に装着されたカメラ本体１０やマウント変換アダプタ３０との通信制御や駆動制御を行う。
【００３５】
レンズＲＯＭ２０３には、交換レンズ２０が有するレンズ光学系２０２に固有のレンズデータが格納されている。レンズデータには、機種ＩＤやシリアル番号などの識別データや、レンズ光学系２０２の焦点距離や絞り値などの光学データや交換レンズを駆動するための駆動データなどに加えて、レンズ光学系２０２の収差を画像処理において補正するための光学補正データなどが含まれている。
【００３６】
レンズマウント部２０４は、マウント変換アダプタ３０と仕様が合致するマウント機構を有しており、交換レンズ２０を機構的にマウント変換アダプタ３０へ装着可能とするとともに、マウント機構に備えられた電気的接点によりマウント変換アダプタ３０と通信可能となっている。
【００３７】
図１に示すマウント変換アダプタ３０において、３０１はアダプタＣＰＵ、３０２はアダプタＲＯＭ、３０３は発光部、３０４はアダプタカメラ側マウント部、３０５はアダプタレンズ側マウント部を示す。
【００３８】
本実施例のマウント変換アダプタ３０は、マウント機構の仕様が相違するカメラ本体１０と交換レンズ２０とをそれぞれ装着可能としてこれらを中継するカメラアクセサリである。マウント変換アダプタ３０の役割として、特に、カメラ本体１０と交換レンズ２０のマウント機構の仕様が相違するしないにかかわらず、交換レンズ２０をカメラ本体１０に対して機構的に装着可能とすること、カメラ本体１０と交換レンズ２０との通信の互換性をサポートすること、交換レンズ２０のフランジバックを装着されるカメラ本体１０の仕様に合わせて調整することが挙げられる。
【００３９】
アダプタＣＰＵ３０１は、カメラＣＰＵ１０１とレンズＣＰＵ２０１との通信の互換性を確保するため、カメラＣＰＵ１０１と交換レンズ２０との間で通信されるコマンドやデータの置換や変換等をともなう処理を行う。また、カメラＣＰＵ１０１とレンズＣＰＵ２０１との間で通信されたデータを元にマウント変換アダプタ３０の機能の対応状況を使用者に通知するための発光部３０３を適切に制御する。
【００４０】
アダプタＲＯＭ３０２には、交換レンズ２０のレンズＲＯＭ２０３に格納されたレンズ光学系２０２に固有のレンズデータと同様のものが格納されている。アダプタＲＯＭ３０２に格納されているレンズデータは、レンズＩＤを含み、さらにレンズＲＯＭ２０３に格納されている同様のレンズデータよりもより高度な機能に対応可能なレンズデータである。すなわち、アダプタＣＰＵ３０２に格納されているレンズデータには、レンズＲＯＭ２０３に格納されているレンズデータに追加して、例えばより高度な光学収差補正データやカメラ本体１０の撮像部１０２の新しい機能である像面位相差ＡＦに対応可能な光学収差補正データが拡張されている。
【００４１】
ここで、マウント変換アダプタ３０はマウント機構の仕様が合致する様々な交換レンズを装着可能であり、装着された交換レンズによりレンズ光学系が変更されることとなるため、アダプタＲＯＭ３０２には、装着される可能性のある交換レンズのレンズ光学系を想定した場合の単数又は複数のレンズデータを格納することが可能となっている。
【００４２】
アダプタＲＯＭ３０２に格納されるレンズデータは状況に応じて後で変更可能とすることが好ましい。この具体的な状況としては、アダプタＲＯＭ３０２の記憶容量を確保したい場合に使用しないレンズデータを削除したり、新規に開発された交換レンズのレンズ光学系に対応するレンズデータを追加したりする状況が想定される。アダプタＲＯＭ３０２に格納されたレンズデータの変更方法としては、外部コンピュータやカメラ本体等による、マウント部の電気的接点を利用した変更や、レンズデータの変更のための専用のコネクタを利用した変更が可能である。
【００４３】
アダプタＲＯＭ３０２において、複数の拡張されたレンズデータを格納可能とすることで、マウント変換アダプタ３０に装着可能な交換レンズ２０をより高度な光学収差補正やカメラ本体１０の新しい機能に対応可能とし、それぞれの交換レンズ２０のレンズＲＯＭ２０３に格納されたレンズデータをそれぞれ個別に更新することなくマウント変換アダプタ３０のアダプタＲＯＭ３０２のレンズデータを更新するだけで複数の交換レンズ２０を一括して新しい機能に対応可能とすることができる。
【００４４】
発光部３０３は、マウント変換アダプタ３０の機能の対応状況を使用者に通知するための発光デバイスである。本実施例では発光部３０３の発光デバイスを具体的にＬＥＤであるとする。ＬＥＤは、光の３原色を発光するＬＥＤとこれらの発光を制御するＩＣがパッケージングされており、省スペースで様々な色の発光を行うことが可能である。本実施例では、ＬＥＤによる複数の発光の状態を用いて使用者にマウント変換アダプタ３０の機能の対応状況を通知するものとした。
【００４５】
次に図２を用いて、アダプタＣＰＵ３０１による発光部３０３の発光制御について説明する。
【００４６】
本実施例のカメラシステムにおいて、カメラ本体１０の電源がオンとなると、カメラ本体の電源部１０４から、カメラ本体１０のカメラＣＰＵ１０１、交換レンズ２０のレンズＣＰＵ２０１及びマウント変換アダプタ３０のアダプタＣＰＵ３０１に対してそれぞれのＣＰＵに適切な電圧の電源の供給が開始される。これらのＣＰＵは電源の供給を受けて起動を行い、次の初期通信を行う。
【００４７】
まず、ステップ１において、アダプタＣＰＵ３０１は、カメラＣＰＵ１０１に対して通信待機の指示を行う。アダプタＣＰＵ３０１が初期通信において交換レンズ２０の種類を判別して発光部３０３の発光制御を完了するまで、アダプタＣＰＵ３０１とカメラＣＰＵ１０１との通信を待機するためである。
【００４８】
次に、ステップ２において、アダプタＣＰＵ３０１は、レンズＣＰＵ２０１に対して、装着された交換レンズ２０のレンズ光学系２０２についてのレンズデータをマウント変換アダプタ３０のアダプタＲＯＭ３０２に格納可能であるか否かを問い合わせるコマンド（対応コマンド）と、交換レンズ２０のレンズＲＯＭ２０３に格納されたレンズＩＤを問い合わせるコマンド（レンズＩＤコマンド）を発行する。
【００４９】
対応コマンドは、アダプタＲＯＭ３０２において、マウント変換アダプタ３０に装着された交換レンズ２０のレンズ光学系２０２についてのレンズデータを格納可能であるか否かをレンズＣＰＵ２０１に対して問い合わせるためのコマンドである。対応コマンドの発行をする際、実際にアダプタＲＯＭ３０２において交換レンズ２０のレンズ光学系２０２についてのレンズデータが格納されているか否かは問わない。
【００５０】
アダプタＲＯＭ３０２に格納されるレンズデータは、レンズ光学系２０２のレンズ設計データに基づいて作成されるものであり、所定のフォーマットに従って記述されていなければならず、単にマウント機構の仕様が合致していることにより機構的に装着が可能となっている交換レンズであっても、当該交換レンズのレンズデータを必ずしも格納可能であるとは限らない。例えば、交換レンズ２０が機構的にマウント変換アダプタ３０に対して装着可能である場合であっても、マウント変換アダプタ３０のメーカーがレンズ設計データに基づいてレンズデータの作成をすることができないようなレンズ光学系を備えた他社製の交換レンズであるなどの場合には、マウント変換アダプタ３０のアダプタＲＯＭ３０２にこれらの交換レンズのレンズデータを格納することが根本的に不可能である。
【００５１】
次に、ステップ３において、レンズＣＰＵ２０１は、アダプタＣＰＵ３０１からの対応コマンドとレンズＩＤコマンドに応答して、アダプタＣＰＵ３０１に対して、マウント変換アダプタ３０に対する対応状況とレンズＲＯＭ２０３に格納されたレンズＩＤのアンサーを送信する。
【００５２】
次に、ステップ４において、アダプタＣＰＵ３０１は、レンズＣＰＵ２０１から送信されたマウント変換アダプタ３０に対する対応状況とレンズＩＤを受信し、これらに基づいて発光部３０３の発光制御を行う。すなわち、マウント変換アダプタ３０に対する対応状況がＯＫの場合には発光部３０３を点灯させる発光制御を行い、ＮＧの場合には発光部３０３を点灯させない発光制御を行う。さらに、発光部３０３を点灯させる発光制御において、レンズＩＤに従って発光色を切り替える発光制御を行う。
【００５３】
本実施例では、マウント変換アダプタ３０に対する対応状況がＯＫの場合には発光部３０３を点灯させる発光制御を行い、かつ、レンズＩＤに従って発光色を切り替える発光制御を行う。すなわち、アダプタＣＰＵ３０１は、発光部３０３を点灯させる発光制御を行う際に、レンズＣＰＵ２０１から受信したレンズＩＤをキーにして単数又は複数のレンズデータが格納されたアダプタＲＯＭ３０２を参照し、レンズＣＰＵ２０１から受信したレンズＩＤと同じレンズＩＤが存在するか否かをサーチして、存在する場合には発光部３０３を緑色に発光させ、存在しない場合には発光部３０３を橙色に発光させる。
【００５４】
上記のようにマウント変換アダプタ３０の発光部３０３の色を切り替えて発光させることにより、使用者に対して、装着された交換レンズ２０のレンズ光学系２０２に対応するレンズデータがアダプタＲＯＭ３０２に格納されていないことと、さらに、マウント変換アダプタ３０がレンズデータの格納に対応していることを併せて通知し、アダプタＲＯＭ３０２にレンズデータを格納することを視覚的に促すことができる。また、発光部３０３の色を切り替えて発光させる発光制御のほかに、さらに発光部３０３を点灯させるのではなく点滅させることにより発光制御を変化させることとしてもよい。
【００５５】
次に、ステップ５において、アダプタＣＰＵ３０１は、所定の時間が経過した後に発光部３０３の発光制御を終了し、ステップ１において行っていたカメラＣＰＵ１０１に対する通信待機の指示を解除してカメラＣＰＵ１０１との通信を開始する。以上により、アダプタＣＰＵ３０１による発光部３０３の発光制御が完了する。
【００５６】
次に図３を用いて、本実施例のアダプタＣＰＵ３０１の制御方法について説明する。
【００５７】
図３は、アダプタＣＰＵ３０１の制御方法を示したフロー図である。
【００５８】
まず、ステップＳ０１において、アダプタＣＰＵ３０１はカメラ本体１０の電源部１０４からの電源の供給を受けて起動する。
【００５９】
次に、ステップＳ０２において、アダプタＣＰＵ３０１は初期通信を開始する。初期通信にはカメラ本体１０のカメラＣＰＵ１０１に対する通信待機の指示も含まれる。
【００６０】
次に、ステップＳ０３において、アダプタＣＰＵ３０１は交換レンズ２０のレンズＣＰＵ２０１に対して対応コマンドとレンズＩＤコマンドの２つのコマンドを送信する。
【００６１】
次に、ステップＳ０４において、アダプタＣＰＵ３０１は対応コマンドに対するレンズＣＰＵ２０１からの応答があるか否かを判断する。ステップＳ０４において対応コマンドに対するレンズＣＰＵ２０１からの応答がある場合には、発光部３０３を点灯させる発光制御に移行する。
【００６２】
発光部３０３を点灯させる前にステップＳ０６において、アダプタＣＰＵ３０１は、レンズＣＰＵ２０１がレンズＩＤコマンドに応答して送信したレンズＩＤを受信し、このレンズＩＤをキーにしてアダプタＲＯＭ２０３に記憶されたレンズデータにおいて同一のレンズＩＤを有するレンズデータが存在するか否かをサーチする。
【００６３】
ステップＳ０６においてアダプタＲＯＭ２０３に記憶されたレンズデータにレンズＣＰＵ２０１から受信したレンズＩＤと同一のレンズＩＤを有するレンズデータが存在する場合には、ステップＳ０７において、アダプタＣＰＵ３０１は、使用者に対してカメラシステムが完全な機能を発揮できることを通知するために発光部３０３を緑色に点灯させる発光制御を行う。その他の場合には、ステップＳ０８において、発光部３０３を橙色に点灯させる発光制御を行い、使用者に対してマウント変換アダプタ３０はカメラシステムの完全な機能を発揮できる潜在力を有しているものの、そのためのレンズデータがアダプタＲＯＭ２０３に未だ記憶されていないことを通知する。これにより、アダプタＲＯＭ２０３にカメラシステムの機能を発揮するためのレンズデータが未だ記憶されていない場合であっても、アダプタＣＰＵ３０１の発光部３０３の発光制御により使用者に対して必要なレンズデータを更新することを促すことができる。
【００６４】
ここで、ステップＳ０４に遡って、アダプタＣＰＵ３０１は、対応コマンドに対するレンズＣＰＵ２０１からの応答がない場合には、ステップＳ０９において、発光部３０３を点灯させない発光制御を行う。対応コマンドに対するレンズＣＰＵ２０１からの応答がない場合の具体的な態様としては、対応コマンドに対してレンズＣＰＵ２０１からの信号が全くないことや、アダプタＣＰＵ３０１が期待する信号とは異なる信号があることなどが想定される。いずれにしてもアダプタＣＰＵ３０１が送信した対応コマンドに対してレンズＣＰＵ２０１が適切な応答をしない場合には、アダプタＣＰＵ３０１は応答がない場合として判断する。
【００６５】
次に、ステップＳ１０において、アダプタＣＰＵ３０１は、ステップＳ０７、Ｓ０８及びＳ０９のそれぞれにおいて発光部３０３を発光制御した後、所定時間が経過するまでその発光制御を維持する。発光部３０３の発光制御による通知の内容は、使用者に対してカメラシステムの詳細な機能の対応状況を通知するものであり、この対応状況はアダプタＲＯＭ３０２に記憶されたレンズデータを更新するでもしない限り使用中に変化することはないので、カメラ本体１０の起動から所定時間経過した後に発光部３０３の発光制御を停止する。
【００６６】
次に、ステップＳ１１において、アダプタＣＰＵ３０１は、ステップＳ１０において所定時間経過したことをチェックした後に発光部３０３が点灯している場合にはこの点灯を終了させる。
【００６７】
以上で、ステップＳ１２において、アダプタＣＰＵ３０１は、発光部３０３の発光制御を終了する。ステップＳ１２における発光制御の終了時には、アダプタＣＰＵ３０１はカメラＣＰＵ１０１に対して行っていた通信待機の指示を解除して、カメラＣＰＵ１０１との通信を開始する。
【００６８】
次に図４を用いて、本実施例のマウント変換アダプタ３０の構成について説明する。
【００６９】
図４は、マウント変換アダプタ３０の外観を示した図である。３０６は外観部材、３０６ａは外観部材３０６に形成された貫通穴、３０４はアダプタカメラ側マウント部、３０５はアダプタレンズ側マウント部を示す。
【００７０】
貫通穴３０６ａは、マウント変換アダプタ３０の内部機構に配置された発光部３０３から外部へ向かって、使用者へ通知するための光が通るように外観部材３０６に形成された開口部である。
【００７１】
アダプタカメラ側マウント部３０４及びアダプタレンズ側マウント部３０５は、それぞれカメラ本体１０のマウント部１００及び交換レンズ２０のマウント部１００とマウント機構により機構的かつ電気的に接続するための機構である。
【００７２】
なお、図４において点線はマウント変換アダプタ３０の光軸を示している。マウント変換アダプタ３０の光軸は、カメラ本体１０の光軸と一致し、かつ、交換レンズ２０の光軸とも一致する。カメラ本体１０の光軸は詳しくはカメラ本体１０の撮像部１０２を構成するイメージセンサーの中心を垂直に通る軸であり、交換レンズ２０の光軸は詳しくは交換レンズ２０のレンズ光学系２０２の光軸である。
【００７３】
以上の説明のとおり、本発明によれば、アダプタ装置に発光デバイスを搭載することにより使用者に対して詳細な機能の対応状況を通知するための通知機能を実装し、さらに使用者に対して視覚的に様々な対応状況を通知することができるアダプタ装置及びアダプタ装置の制御方法とすることができる。
【符号の説明】
【００７４】
１０  カメラ本体
１０１  カメラＣＰＵ
１０２  撮像部
１０３  画像処理部
１０４  電源部
１０５  カメラマウント部
２０  交換レンズ
２０１  レンズＣＰＵ
２０２  レンズ光学系
２０３  レンズＲＯＭ
２０４  レンズマウント部
３０  マウント変換アダプタ
３０１  アダプタＣＰＵ
３０２  アダプタＲＯＭ
３０３  発光部
３０４  アダプタカメラ側マウント部
３０５  アダプタレンズ側マウント部
３０６  外観部材
３０６ａ  貫通穴
【図１】
0006531667.tif 000002
【図２】
0006531667.tif 000003
【図３】
0006531667.tif 000004
【図４】
0006531667.tif 000005